(57)【特許請求の範囲】
【請求項１】
入力された映像信号を記録媒体に記録する記録手段と、
前記記録媒体から前記映像信号を再生する再生手段と、
前記記録媒体に対する前記映像信号の記録停止に応じて直前に記録された前記映像信号を前記記録媒体から再生するレビューモードにおいて、前記直前に記録された映像信号の記録時間長に応じて前記レビューモードにおける再生速度を決定すると共に、前記記録停止に応じて前記直前に記録された映像信号を前記決定した再生速度にて早送り再生するよう前記再生手段を制御するコントローラとを備える映像再生装置。
【請求項２】
前記コントローラは、前記記録時間長が長いほど前記レビューモードにおける再生速度を速くすることを特徴とする請求項１記載の映像再生装置。
【発明の詳細な説明】
【０００１】
【産業上の利用分野】
本発明は、映像を撮影して記録し、再生する映像記録再生装置に関するものである。
【０００２】
【従来の技術】
従来、映像信号と音声信号を記録する場合、アナログ信号のまま１／２インチや８ミリのテープ幅の磁気テープを用いるいわゆるＶＴＲ（ビデオテープレコーダ）を用いるのが一般的であった。
【０００３】
図５に従来のＶＴＲの構成ブロック図を示す。図５を用いて、撮影した内容を確認するレックレビュー機能について説明する。カメラ５１によって撮影された映像と、マイク５２によって集音された音声は、カメラ信号処理回路５３とオーディオ信号処理回路５４において記録用の信号処理を施され、加算器５５で１つの信号にされ、記録ヘッドに送られている。入力キー５７により撮影開始が指示されると、システムコントロール回路５８は、サーボ回路に記録命令を送る。サーボ回路５９は、キャプスタンモータ６０とドラムモータ６１を、記録のための回転数に制御する。ドラム６２に取りつけられた記録ヘッド５６は、送られてきている映像と音声の信号を磁気テープ６３に記録していく。
【０００４】
次に使用者が撮影を終了する時、入力キー５７を用いて撮影終了を指示すると、システムコントロール回路５８は、この入力キー５７の指示を受け、サーボ回路５９にレックレビュー命令を送る。サーボ回路５９は、まず記録動作を２つのモータを停止させて終了し、次にキャプスタンモータ６０を逆回転させる。この時ドラムモータ６１は、磁気テープ６３上に記録された信号を再生できるように、ドラム６２上の再生ヘッド６４の相対速度を合わせるように制御される。再生ヘッド６４によって再生された信号は、ビデオ信号処理回路６５でビデオ信号に、再生オーディオ信号処理回路６６で音声信号にされる。そしてビデオ信号は、ファインダー６７に映し出され、音声信号はヘッドフォン端子６８に送られる。
【０００５】
サーボ回路５９は、キャプスタンモータ６０が回転する度に出力されるパルス（ＣＦＧ）をカウントし、撮影開始の位置まで磁気テープ６３を巻き戻す。その後、再びキャプスタンモータ６０とドラムモータ６１を記録時と同じ方向、同じ速度で制御し、撮影終了した時期テープ６３の位置まで再生動作を行う。使用者は、この間再生された映像をファインダー６７を覗いて確認する。
【０００６】
【発明が解決しようとしている課題】
しかしながら上記従来例では、ＶＴＲのレックレビューを行うために、録画した磁気テープを巻き戻す時間を要し、さらに通常の再生時間にて再生する場合、非常に長い時間が必要とされるという問題点があった。
【０００７】
【課題を解決するための手段】
本発明は前記の問題点を解決するためになされたもので、入力された映像信号を記録媒体に記録する記録手段と、前記記録媒体から前記映像信号を再生する再生手段と、前記記録媒体に対する前記映像信号の記録停止に応じて直前に記録された前記映像信号を前記記録媒体から再生するレビューモードにおいて、前記直前に記録された映像信号の記録時間長に応じて前記レビューモードにおける再生速度を決定すると共に、前記記録停止に応じて前記直前に記録された映像信号を前記決定した再生速度にて早送り再生するよう前記再生手段を制御するコントローラとを備える。
【０００８】
【実施例】
以下、図面を用いて本発明の実施例について説明する。
【０００９】
《実施例１》
図１に本発明実施例１の構成ブロック図を示す。まず図１において、記録動作を行う場合について説明する。ステレオマイク１より左（Ｌ）右（Ｒ）のステレオ音声信号が入力され、Ａ／Ｄコンバータ３，４にてデジタル音声信号に変換される。そしてデジタル音声信号は、各々音声信号処理回路５，６にて各種雑音除去やダイナミックレンジの制限等の処理が施される。
【００１０】
また、カメラ７により入力された映像信号は、Ａ／Ｄコンバータ３，４よりも高速処理可能なＡ／Ｄコンバータ８にてデジタル映像信号に変換され、ビデオ信号処理回路９において、ノイズ除去等の処理が行われる。
【００１１】
次にＩＤ信号発生回路１０により生成されたＩＤデータと音声データ及び映像データとをデータ合成回路１１にて合成し、メインメモリ１２に格納される。このメインメモリ１２は、メモリコントローラ１３によってメモリアドレスや書き込み／読み出し等の制御が行われている。さらに、メモリコントローラ１３は、システムコントローラ１４により動作の切り換え等の装置全体としての制御が行われている。このシステムコントローラ１４は、操作キー１５により入力される記録／再生／検索などの指示を受けて、メモリコントローラ１３の制御を行うと同時に、動作状況や記録／再生時間等を示すタイムコード等の情報を表示部１６に表示する。このタイムコードには主に２種類あり、１つめは記録媒体もしくは映像プログラムの冒頭からの経過時間やカメラ撮影の累積時間等である。そして２つめは記録またはカメラ撮影時の年月日や時分秒フレームの時刻等であり、後者のタイムコード発生のために、カレンダクロック発生回路１７を備えている。ここでＩＤ発生回路１０は、システムコントローラ１４からの情報に基づき、タイムコード、画質や音声等のモード選択等のＩＤ信号を発生し、データ合成回路１１において、各ＩＤごとに映像と音声データとをひとまとめにしたデータブロックを構成する。
【００１２】
次に、図２に固体メモリで構成されたメインメモリ１２中のデータ格納例を示す。図２において、映像データ、音声データとＩＤデータが１データブロックを構成しており、それぞれに格納場所を示すアドレスがふられている。それぞれの１データブロックはデータ量が固定であり、例えばＣＣＩＲ勧告６０１スタジオ用デジタル符号化標準方式のＮＴＳＣ信号で、１フィールドごとにデータブロックを構成すれば、１．４２８４８Ｍｂｉｔの映像データと２３．５２Ｋｂｉｔの音声データ及び１０ｂｉｔのＩＤデータとなる。つまり、この合計ｂｉｔごとにアドレスナンバーが図２のように更新される。
【００１３】
このようなデータ処理にてメインメモリ１２にＡＶデータを格納することになるが、メインメモリの増設や、ＩＣカード等の交換可能なメモリ形態をとることも可能である。
【００１４】
操作キー１５により記録停止が指示されるとシステムコントローラ１４は、メインメモリ１２への記録を停止する。図２では、１番上の部分から記録が始まり、アドレスナンバーｎで記録（撮影）を終了した場合を示している。そしてその後、自動的にレックレビュー動作に入るように、システムコントローラ１４は、表示部材１６にレックレビュー再生動作中の旨を表示し、メモリコントローラ１３でメモリアドレスや書き込み／読み出しを制御し、メインメモリ１２から記録動作にて格納した情報信号を読み出す。
【００１５】
そしてメモリコントローラ１３は、図２の撮影開始アドレスであるアドレスナンバー１から読み出しを開始し、アドレスナンバーを繰り上げていく。しかし、１つずつ繰り上げると、すべての情報を再生することになり、撮影時間と同じ時間が必要なため、アドレスナンバーを２つずつあげることで、倍速再生を行う。例えばアドレスナンバー１，３，５・・・ｎのデータブロックを再生すれば良い。さらに、このナンバーをあげる幅を大きくすることによって早い再生が行われる。
【００１６】
以上のようなメモリコントローラ１３の動作について、図３にフローチャートを示す。図３において、ステップＳ１で記録が開始された場合、ステップＳ２に進みアドレスカウンタに記録を開始するメモリのアドレスを書き込む。この例では、図２のようにメモリの１番始めのアドレスナンバー１から記録を始める。そして、ステップＳ３でデータブロック記録するごとに、ステップＳ４でアドレスナンバーが１つずつ進むため、アドレスカウンタを１つずつ進めていく。そして、ＥＮＤレジスタに撮影終了のアドレスカウンタ値が書き込まれる。ステップＳ５で撮影が終了すると、ステップＳ６でアドレスカウンタを撮影開始アドレスナンバーに戻し（この例では１）、ステップＳ７でそのアドレスカウンタの示すアドレスナンバーのデータブロックを再生する。そして、ステップＳ８でアドレスカウンタがＥＮＤレジスタの値よりも大きくなるまで、アドレスカウンタを２つずつ進めて再生していく。そしてステップＳ９において、アドレスカウンタがＥＮＤレジスタの値よりも大きくなった時に、レックレビュー再生動作を終了する。
【００１７】
次に再生方式について、図１を用いて説明する。メインメモリ１２から読み出されて再生信号は、ＩＤ、映像、音声の３種類のデータが混合された状態（シリアルデータ情報）でデータ分配回路１８へ情報供給される。データ分配回路１８に送られたデータは、各々以下の通り分配される。
【００１８】
ビデオデータは、データ選択回路１９へ入力され、データ選択回路１９では、アナログの映像モニタ用の映像信号を加算器２０へ出力し、また同時に、ビデオデジタル出力端子２１へ供給する。
【００１９】
ＩＤデータは、検索情報再生回路２２にて、各ＩＤごとに情報を検出し、モニタのための表示情報を表示情報再生回路２３にて発生し、データ選択回路１９にて復元された映像情報と、加算器２０にて合成してＡ／Ｄコンバータ２４にてアナログ信号に変換し、ファインダー２５へ表示する。
【００２０】
オーディオデータも、データ選択回路１９では、ヘッドフォン端子２６用の音声信号を生成するためのＤ／Ａコンバータ２７に出力し、同時にオーディオデジタル出力端子２８へ供給するデータを出力する。
【００２１】
ここで、映像と音声の各データは、前記のＩＤ信号を用いて、再生信号処理に要する遅延時間等によるずれを補正するために、表示情報生成回路２３からの情報に同期させ、各々の映像及び音声の再生信号をデータ選択回路１９より出力する。
【００２２】
また、本実施例では、撮影停止後自動的にレックレビュー動作に入るが、当然操作キー１５の中にレックビューキーを設け、操作者が操作キー１５を操作した時のみ動作することも可能である。さらに本実施例では、記録媒体に固体メモリを使用しているが、これは磁気テープ等でも良い。また、再生する方向は逆再生でも良い。
【００２３】
以上の様にして、操作者は撮影終了直後に、撮影した映像を早送り再生により確認した後、次の撮影にはいるか、今撮影したシーンを撮り直すかを判断することができる。また、固体メモリも使用した場合は、簡単な構成で、高速再生してもノイズが無く、大変見やすい画像が提供できる。
【００２４】
《実施例２》
実施例１では、レックレビュー時に早送り再生を行うが、この早送り速度が一定であると、撮影時間が短い場合、再生はすぐに終わってしまう。また、逆に撮影時間が長い場合は、２倍速ではいつまでも再生が終わらない。
【００２５】
そこで本実施例２では、撮影時間に応じてアドレスナンバーを繰り上げる幅を、撮影時間が短い場合は幅を小さく、撮影時間が長い場合は幅を大きくするようにしたものである。この制御はメモリコントローラ１３がアドレスナンバーをカウントしておき、その値によってアドレスナンバーに加算する数値を変えることによって行う。この時のメモリコントローラ１３の動作を、図４のフローチャートに示し、以下これに沿って説明する。
【００２６】
図４において、ステップＳ４１で記録が開始された場合、ステップＳ４２に進みアドレスカウンタに記録を開始するメモリのアドレスを書き込む。ここでは実施例１と同様に、図２のようにメモリの１番始めのアドレスナンバー１から記録を始める。そして、ステップＳ４３でデータブロック記録するごとに、ステップＳ４４でアドレスナンバーが１つずつ進むため、アドレスカウンタを１つずつ進めていく。そして、ＥＮＤレジスタに撮影終了のアドレスカウンタ値が書き込まれる。
【００２７】
ステップＳ４５で撮影が終了すると、ステップＳ４６でＥＮＤレジスタのアドレスカウンタ値が固定地Ｋよりも大きい時にはステップＳ４７に進む。そしてステップＳ４７では、アドレスカウンタの加算値Ｘを４に設定する。また、ステップＳ４６でＥＮＤレジスタのアドレスカウンタ値が固定値Ｋよりも小さい時にはステップＳ４８に進み、アドレスカウンタの加算値Ｘを２に設定する。そしてステップＳ４９でアドレスカウンタを撮影開始アドレスナンバーに戻し（この例では１）、ステップＳ５０でそのアドレスカウンタの示すアドレスナンバーのデータブロックを再生する。そして、ステップＳ５１でアドレスカウンタがＥＮＤレジスタの値よりも大きくなるまで、アドレスカウンタを２つまたは４つずつ進めて再生していく。そしてステップＳ５２において、アドレスカウンタがＥＮＤレジスタの値よりも大きくなった時に、レックレビュー再生動作を終了する。
【００２８】
以上のように撮影時間を示すＥＮＤレジスタの値によって、アドレスカウンタの加算値Ｘを変化させることで、撮影時間の長さにより早送り再生の速度を変化させることができる。また、同様にアドレスカウンタの値を監視することによって、撮影終了アドレスに近づくにつれて早送り速度を変化させることも可能である。また、操作者は撮影終了直後に、撮影した映像を早送り再生により確認した後、次の撮影にはいるか、今撮影したシーンを撮り直すかを判断することができる。本実施例では、記録媒体に固体メモリを使用しているが、これは磁気テープ等でも良い。また、固体メモリを使用した時には、簡単な構成で、高速再生してもノイズが無く、大変見やすい画像が提供できる。また、再生する方向は逆再生でも良い。
【００２９】
【発明の効果】
以上のように、本願発明では、レビューモードにおいて、記録停止に応じて直前に記録された映像信号を早送り再生するため、短時間で直前に記録された映像の内容を確認することができる。
【図面の簡単な説明】
【図１】本発明実施例の構成ブロック図である。
【図２】本発明実施例のメモリ構成図である。
【図３】本発明実施例のフローチャートである。
【図４】本発明実施例のフローチャートである。
【図５】従来例の構成ブロック図である。
【符号の説明】
１０  ＩＤ発生回路
１２  メインメモリ
１３  メモリコントローラ
１４  システムコントローラ
１７  カレンダクロック発生回路
【図１】
0003647061.tif 000002
【図２】
0003647061.tif 000003
【図３】
0003647061.tif 000004
【図４】
0003647061.tif 000005
【図５】
0003647061.tif 000006